(57)【要約】  複数の送信機（２２）を用いる無線通信で使用するための受信機（２０）は、送信機選択論理回路（３４）、信号推定器（３６）、およびイメージ推定器（３８）を備える。イメージ推定器（３８）は、第２の副搬送波上で発生し、第１の送信機の送信に起因するイメージ信号の推定値を形成するように構成されている。信号推定器（３６）は、たとえば、イメージ信号の推定値および第２の副搬送波上で受信される信号を使用して、第２の送信機に起因する第２の副搬送波上で受信される信号の一部分の推定値を得るように構成される。したがって、受信機（２０）は、第２の副搬送波上で発生するイメージ信号を補償するように、第２の送信機に起因する第２の副搬送波上で受信される信号の一部分を決定することができる。
2010527198.tif 000002
【特許請求の範囲】
【請求項１】
複数の送信機（２２）からの無線周波数信号を受信する受信機（２０）を動作させる方法であって、
送信機Ｔｊが動作する周波数のミラー周波数上で発生するイメージ信号の推定値を形成することと、
前記ミラー周波数上で動作する送信機Ｔｋの受信信号から前記イメージ信号の前記推定値を差し引くことを特徴とする方法。
【請求項２】
（１）受信信号強度の順に前記複数の送信機（２２）を順位付けすることと、
（２）受信信号強度がもっとも強い送信機を前記送信機Ｔｊに選び、請求項１の各動作を実行することと、
（３）強度が次に強い送信機を前記送信機Ｔｊに選び、請求項１の各動作を実行することと、
（４）他の複数の送信機のそれぞれ（２２）に対して、動作（３）を実行することをさらに含む、請求項１に記載の方法。
【請求項３】
前記送信機Ｔｊの前記受信信号強度が前記送信機Ｔｋの前記受信信号強度を所定の量だけ超える場合にのみ、前記送信機Ｔｊに対して請求項１の前記各動作を実行することをさらに含む、請求項１に記載の方法。
【請求項４】
前記所定の量が約１０ｄＢである、請求項３に記載の方法。
【請求項５】
前記受信機（２０）が受信する各フレームユニットに対して、請求項１の前記各動作を実行することをさらに含む方法であって、前記フレームユニットは、前記複数の送信機（２２）のそれぞれからの受信信号を含む、請求項１に記載の方法。
【請求項６】
受信信号強度の順に前記複数の送信機（２２）を順位付けすることと、
前記受信信号強度の順に前記複数の送信機（２２）から受信する信号を復調することをさらに含む、請求項１に記載の方法。
【請求項７】
式
【数５６】
2010527198.tif 000058
を評価することにより、前記ミラー周波数上で発生する前記イメージ信号の前記推定値を形成することをさらに含む方法であって、
【数５７】
2010527198.tif 000059
は、（１）第１の副搬送波上で受信される信号か（２）前記第１の副搬送波上で受信される前記信号の推定値のいずれかの共役転置であり、
【数５８】
2010527198.tif 000060
は、
【数５９】
2010527198.tif 000061
を評価することによって得られ、
ａおよびｂは、前記送信機Ｔｊから送信される副搬送波セット［ａ，ａ＋ｂ］を定義し、
【数６０】
2010527198.tif 000062
は、（１）前記第１の副搬送波上で受信される前記信号か（２）前記第１の副搬送波上で受信される前記信号の前記推定値のいずれかであり、
【数６１】
2010527198.tif 000063
は、前記第１の副搬送波における前記無線チャネルの推定値であり、
Ｙ−ｉは、第２の副搬送波上で受信される信号である、請求項１に記載の方法。
【請求項８】
前記ミラー周波数上で動作する前記送信機Ｔｋの前記受信信号から前記イメージ信号の前記推定値が差し引かれないように、推定されたイメージ除去係数
【数６２】
2010527198.tif 000064
が十分に小さいかどうかを判定することをさらに含む、請求項７に記載の方法。
【請求項９】
複数の送信機（２２）を用いる無線通信で使用するための受信機（２０）であって、
前記複数の送信機（２２）のうちのいずれを、第１の副搬送波上で前記受信機（２０）に送信するための第１の送信機とみなすかを選ぶように構成された送信機選択論理回路（３４）であって、前記第１の副搬送波のミラー周波数は第２の副搬送波であり、前記第２の副搬送波上で前記受信機（２０）に送信する、前記複数の送信機（２２）のうちの選択された１つの送信機は、第２の送信機とみなされる送信機選択論理回路と、
前記第２の副搬送波上で発生し、前記第１の送信機の送信に起因するイメージ信号の推定値を形成するように構成されたイメージ推定器（３８）と、
前記イメージ信号の前記推定値および前記第２の副搬送波上で受信される信号を使用して、前記第２の送信機に起因する前記第２の副搬送波上で受信される信号の一部分の推定値を得るように構成された信号推定器（３６）とを特徴とする受信機。
【請求項１０】
前記送信機選択論理回路（３４）は、受信信号の強度の順に、また前記複数の送信機（２２）のうちのいずれを前記第１の送信機とみなすかを選ぶための順位付けに従って、前記複数の送信機（２２）を順位付けするように構成される、請求項９に記載の装置。
【請求項１１】
前記送信機選択論理回路（３４）はさらに、前記順位付けに従って、前記複数の送信機（２２）のうちの他の送信機を前記第１の送信機に繰り返し選ぶように構成される、請求項１０に記載の装置。
【請求項１２】
前記イメージ推定器（３８）は、イメージ除去係数の推定値を、（１）前記第１の副搬送波上で受信される信号か（２）前記第１の副搬送波上で受信される前記信号の推定値のいずれかの共役転置で乗算して、前記イメージ信号の前記推定値を形成するように構成された乗算器を備える、請求項９に記載の装置。
【請求項１３】
前記イメージ推定器（３８）は、（１）前記第１の副搬送波上で受信される信号を使用するのか（２）前記イメージ信号の前記推定値を形成するために前記第１の副搬送波上で受信される前記信号の推定値を使用するのかのいずれかの間で動的に選択するように構成される、請求項１２に記載の装置。
【請求項１４】
前記イメージ推定器（３８）を備える前記乗算器は、前記イメージ信号の前記推定値を形成するために、前記第１の副搬送波上で受信される前記信号の推定値の共役転置を、前記イメージ除去係数の前記推定値に乗算するように構成され、前記第１の副搬送波上で受信される前記信号の前記推定値は、前記第１の搬送波上で受信される前記信号の再符号化バージョンから得られる、請求項１２に記載の装置。
【請求項１５】
前記イメージ推定器（３８）は、
【数６４】
2010527198.tif 000065
を評価することにより前記イメージ除去係数の前記推定値
【数６３】
2010527198.tif 000066
を生成するように構成され、
ａおよびｂは、副搬送波セット［ａ，ａ＋ｂ］を定義し、
【数６５】
2010527198.tif 000067
は、（１）前記第１の副搬送波上で受信される前記信号か（２）前記第１の副搬送波上で受信される前記信号の推定値のいずれかであり、
【数６６】
2010527198.tif 000068
は、前記第１の副搬送波における前記無線チャネルの推定値であり、
Ｙ−ｉは、前記第２の副搬送波上で受信される前記信号である、請求項１２に記載の装置。
【請求項１６】
前記信号推定器（３６）は、前記第２の副搬送波上で受信される前記信号から前記イメージ信号の前記推定値が差し引かれないように、前記推定されたイメージ除去係数
【数６７】
2010527198.tif 000069
が十分に小さいかどうかを判定するように構成される、請求項９に記載の装置。
【請求項１７】
前記信号推定器（３６）は、前記第２の副搬送波上で受信される前記信号から前記イメージ信号の前記推定値を差し引いて、前記第２の送信機に起因する前記第２の副搬送波上で受信される前記信号の前記一部分の前記推定値を得るように構成される、請求項９に記載の装置。
【請求項１８】
複数の送信機（２２）からの無線周波数信号を受信する受信機（２０）であって、
送信機Ｔｊが動作する周波数のミラー周波数上で発生するイメージ信号の推定値を形成するための手段と、
前記ミラー周波数上で動作する送信機Ｔｋの受信信号から前記イメージ信号の前記推定値を差し引くための手段とを備える受信機。
【請求項１９】
受信信号強度の順に前記複数の送信機（２２）を順位付けするための手段と、
受信信号強度がもっとも強い送信機を前記送信機Ｔｊに選ぶための手段とをさらに備える、請求項１８に記載の装置。
【請求項２０】
前記ミラー周波数上で発生する前記イメージ信号の前記推定値を形成するための前記手段は、式
【数６８】
2010527198.tif 000070
を評価するように構成され、
【数６９】
2010527198.tif 000071
は（１）前記第１の副搬送波上で受信される信号か（２）前記第１の副搬送波上で受信される前記信号の推定値のいずれかの共役転置であり、
【数７０】
2010527198.tif 000072
は
【数７１】
2010527198.tif 000073
を評価することによって得られ、
ａおよびｂは、副搬送波セット［ａ，ａ＋ｂ］を定義し、
【数７２】
2010527198.tif 000074
は、（１）前記第１の副搬送波上で受信される前記信号か（２）前記第１の副搬送波上で受信される前記信号の推定値のいずれかであり、
【数７３】
2010527198.tif 000075
は、前記第１の副搬送波における前記無線チャネルの推定値であり、
Ｙ−ｉは、前記第２の副搬送波上で受信される前記信号である、請求項１８に記載の装置。
【発明の詳細な説明】
【技術分野】
【０００１】
１．技術分野
[0001]  本発明は、無線遠隔通信に関し、詳細には、無線受信機の構造および動作に関する。
【背景技術】
【０００２】
２．関連技術と他の事項
[0002]  典型的なセルラー無線システムでは、無線ユーザ装置ユニット（UE）は、無線アクセスネットワーク（RAN）を介して１つまたは複数の基幹ネットワークと通信する。ユーザ装置ユニット（UE）は、移動電話（「携帯」電話）や移動端末機能を有するラップトップなどの移動局とすることができ、したがって、たとえば、無線アクセスネットワークを用いて音声および／またはデータをやり取りする、携帯用、ポケット型、ハンドヘルド型、コンピュータ内蔵型、または車載用の移動装置とすることができる。あるいは、無線ユーザ装置ユニットは、固定無線装置、たとえば無線ローカルループまたは同様のものの一部分である固定セルラー装置／端末とすることができる。
【０００３】
[0003]  無線アクセスネットワーク（RAN）は、基地局が各セル区域を受け持っている複数のセル区域に分割された地理的区域をカバーする。セルは、基地局サイトにおける無線基地局装置が無線サービスエリアを提供する地理的区域である。各セルは、そのセル内でブロードキャストされる固有の識別情報によって識別される。基地局は、エアインターフェース（たとえば無線周波数）上で、基地局の範囲内のユーザ装置ユニット（UE）と通信する。無線アクセスネットワーク内では、通常、いくつかの基地局が（たとえば、地上通信線またはマイクロ波により）無線ネットワーク制御装置（RNC）に接続されている。無線ネットワーク制御装置は、基地局制御装置（BSC）と呼ばれる場合もあるが、それに接続されている複数の基地局の様々な働きを監督し調整する。無線ネットワーク制御装置は通常、１つまたは複数の基幹ネットワークに接続されている。基幹ネットワークは２つのサービス領域を有し、ＲＮＣはこれら領域の両方へのインターフェースを有する。
【０００４】
[0004]  無線アクセスネットワークの一例は、ユニバーサルモバイルテレコミュニケーション（UMTS）地上波無線アクセスネットワーク（UTRAN）である。ＵＭＴＳは、ある点で、欧州で開発されたグローバルシステムフォーモバイルコミュニケーションズ（GSM）として知られている無線アクセス技術に基づく、第３世代のシステムである。ＵＴＲＡＮは、本質的に、広帯域符号分割多元接続（WCDMA）をユーザ装置ユニット（UE）に提供する無線アクセスネットワークである。第３世代パートナーシッププロジェクト（3GPP）は、ＵＴＲＡＮおよびＧＳＭベースの無線アクセスネットワーク技術をさらに進化させる役目を負ってきた。
【０００５】
[0005]  （GSMおよびWCDMAのような）携帯電話の規格の来るべき進化においては、（直交周波数分割多重化（OFDM）のような）新規の変調技法が生まれる可能性が高い。さらに、既存の無線スペクトルにおいて、「旧」セルラーシステムから新規の高容量高データレートシステムに円滑に移行するためには、新規システムは、柔軟な帯域幅で動作することができなければならない。こうした新規の柔軟性のあるセルラーシステムに対する提案は、３Ｇロングタームエボリューション（3G LTE）である。３Ｇ  ＬＴＥは、３Ｇ  ＷＣＤＭＡ規格の進化と理解することができる。そのシステムでは、ダウンリンクには多元接続技法としてＯＦＤＭを使用する（OFDMAと呼ばれる）ことになるが、現在の想定では、アップリンク（UL）にはＳＣ−ＦＤＭＡ（単一搬送波周波数分割多元接続）を使用することになる。
【０００６】
[0006]  現行のＬＴＥのコンセプトがそうであるように、ＳＣ−ＦＤＭＡアップリンクでの利用可能な帯域幅は、それぞれ１８０ｋＨｚのリソースユニット（RU）に分割される。システムの合計占有帯域幅（BW）は、１．２５ＭＨｚから２０ＭＨｚまでの間で変化し、それに応じてＲＵの数が変化する。各ユーザ装置ユニット（UE）は、たとえば移動局、移動端末、無線局とすることができるが、この周波数帯のどこかに配置された整数の連続したＲＵに割り当てられる。各ＵＥにどのＲＵを割り当てるか、またいくつのＲＵを割り当てるかは、基地局内（たとえばNodeB内）のスケジューラによって決定され、たとえば伝搬チャネル条件状態および伝送すべきデータの量に依存する。したがって、これは動的であり、非常に急激に変化することがある。
【０００７】
[0007]  ＳＣ−ＦＤＭＡ（単一搬送波周波数分割多元接続）システムは、ＯＦＤＭＡシステムに似ているが、様々なユーザに割り当てられる周波数が互いに直交しており、したがって互いに干渉することなく分離することができるという有用な特徴を有する。しかし実際には、直交性を損ねて、周波数間の干渉につながる可能性のあるいくつかの要因がある。このような要因の１つが、実際のいかなる無線送信機においても避けることのできないスペクトル不純度である。たとえば、イメージ問題は、これ以降ＩＱアンバランスと称する送受信機内の利得と位相の直交性のアンバランスに起因することがある。
【０００８】
[0008]  図１にＩＱアンバランスが示してある。図１には、２０ＭＨｚシステムにおける２０個の「もっとも左の」リソースユニット（RU）上で送信しているＵＥから放出されたスペクトルを示しており、−９ＭＨｚ〜−５．４ＭＨｚの周波数を占有している。ここで、０ＭＨｚは２０ＭＨｚの搬送波の中心を示している。（アナログ）回路が不完全なので、図１の５．４ＭＨｚ〜９ＭＨｚの周波数で希望信号のイメージが送信されることになる。どの周波数でイメージが送信されるかは、局部発振器の周波数がどこに位置しているかに依存する。図１では、局部発振器は、帯域の中心すなわち０ＭＨｚに位置すると仮定している。その代わりに、局部発振器が、希望信号の中央すなわち−７．２ＭＨｚに位置していた場合には、イメージは、希望信号そのものに落ち込んでいて、スペクトルの図では見えなかったであろう。
【０００９】
[0009]  イメージのサイズを抑制するための様々な技法を送信機に適用することができる。しかし、ＩＱアンバランスは個々の構成部品によって変化するので、あらゆる単一のＵＥに対して広範囲にイメージ除去を保証することは難しい。
【００１０】
[0010]  ＵＥなどの送信機で生成されるイメージは、基地局ノード（たとえばNodeB）のスケジューラによってＵＥに割り当てられた周波数上には投影されないので、割り当てられた周波数上の信号のＮｏｄｅＢ内での受信が損なわれることはない。しかし、図１に示す信号を有するＵＥは、イメージ周波数において送信しているＵＥに対して干渉することになる。それらのイメージ周波数上で送信しているＵＥが、ＮｏｄｅＢにおいてはるかに低い電力で受信される場合、図２に示すように、第１のＵＥからのイメージにより、これらのＵＥに対してＮｏｄｅＢの受信機において確かに信号対雑音比（SNR）が著しく劣化することになる。図２には、２つの送信機のうち強い方の送信機の受信信号が線ＵＥ１で示してあり、２つの送信機のうち弱い方の送信機の受信信号が線ＵＥ２で示してあり、弱い方の送信機は、強い方の送信機の動作周波数のミラー周波数で動作する。図２に示すように、弱い方の送信機（UE 2）から受信した信号に対して、ＮｏｄｅＢの受信機において信号対雑音比（SNR）が著しく劣化する。
【００１１】
[0011]  様々なＵＥからの信号をＮｏｄｅＢにおいて等しい電力で受信するよう目指すことによって、ＵＬ電力制御（開ループまたは閉ループ）を使用することにより、図２に示した影響を軽減することができる。しかし、高速フェージング、測定エラーおよび信号処理エラー、端末がすでに最大電力または最小電力で送信していることなどの現象および発生により、こうした電力制御は決して完全ではない。したがって、様々なＵＥからの受信電力が著しく変化する状況が、常に存在することになる。
【００１２】
[0012]  ＯＦＤＭＡシステムにおいても問題は似ている。さらに、ＯＦＤＭＡシステムでは、図１に示したように「高い」スペクトル割当て（希望信号）が１つだけで、「低い」スペクトル割当て（イメージ）も１つだけである代わりに、高いピークがいくつかあり、低いピークもいくつかある場合も可能性がある。
【００１３】
[0013]  少なくとも一部には、イメージ保護問題に取り組もうとする様々な技法が存在する。
【００１４】
[0014]  第１の技法は、高速閉ループ電力制御を必要とする。電力制御ループが十分に高速である場合には、高速フェージングに追従することにより、様々なＵＥ間の受信電力の差をより小さくすることができる。しかし、上述した理由から、電力制御は依然として完全にはならない。したがって、この第１の技法は、問題に対して十分な解決法ではない。
【００１５】
[0015]  第２の技法では、送信機においてイメージ除去を改善する必要がある。しかし、個々のＵＥそれぞれに対する非常に高いイメージ除去は、広範囲なトリミングを必要とすることがあり、時間がかかりコストもかかる。大きな信号内で弱い信号を抑圧する必要があり、またＩＱアンバランスの原因が送信（TX）連鎖内で相対的に遅くなると思われるので、適応解は可能であるが難しい。
【００１６】
[0016]  第３の技法は、局部発振器の高速な変化を必要とする。局部発振器が、常に希望送信信号の中央に位置している場合は、イメージは希望信号上に投影されることになる。所与の信号へのイメージ投影は、局部発振器の周波数を変更することによって回避することができる。しかし、局部発振器の周波数を変化させる場合、いくつかの実施上の問題がある。１つの問題は、リソースユニット（RU）の割当てが急激に切り替わる場合に、局部発振器は、サイクリックプレフィックスの各部分内で新規の周波数に適応する必要があるという事実に関係する。これは１μｓ未満を意味し、低コスト無線において現在実現可能な値から何桁もかけ離れている。
【００１７】
[0017]  第４の技法は、干渉を意識したリソース割当てを必要とする。ＮｏｄｅＢが周波数領域でユーザをスケジューリングして、誘起された妨害と様々なＵＥについての受信電力および要求ＳＮＲとをマッチさせることが可能である。しかし、この選択肢は必ずしも実現可能で望ましいとは限らない。
【００１８】
[0018]  したがって、必要となるもの、および本発明の目的は、無線受信機においてイメージ信号を補償するための、よりよい装置、方法および技法である。
【発明の概要】
【００１９】
概要
[0019]  複数の送信機を用いる無線通信で使用するための受信機は、送信機選択論理回路、信号推定器、およびイメージ推定器を備える。送信機選択論理回路は、現在の信号処理目的のために、複数の送信機のうちのいずれを、第１の副搬送波セット上で受信機に送信するための第１の送信機とみなすのかを選択するように構成される。この第１の副搬送波セットのミラー周波数は、やはり副搬送波として利用される場合には、第２の副搬送波セットとみなされる。第２の副搬送波セット上で受信機に送信する複数の送信機のうちのいずれか１つの送信機は、第２の送信機とみなすことができ、送信機選択論理回路は、第２の副搬送波セット上で送信する複数の可能性のある送信機のうちの１つまたは複数の送信機を選んで、現在の信号処理目的用の第２の送信機として選択する。
【００２０】
[0020]  イメージ推定器は、第２の副搬送波セット上で発生し、第１の送信機の送信に起因するイメージ信号の推定値を形成するように構成されている。信号推定器は、たとえば、イメージ信号および第２の副搬送波セット上で受信される信号の推定値を使用して、第２の送信機に起因する第２の副搬送波セット上で受信される信号の一部分の推定値を得るように構成される。したがって、受信機は、その特定の第２の副搬送波において発生する第１の送信機からのイメージ信号を補償するように、第２の送信機に起因する第２の副搬送波セット内の１つの副搬送波上で受信される信号の一部分を決定することができる。
【００２１】
[0021]  例示的な一実施形態では、送信機選択論理回路は、受信信号の強度の順に複数の送信機を順位付けするように構成される。さらに、その順位付けに従って、送信機選択論理回路は、複数の送信機のうちのいずれを、たとえばイメージ信号を補償する信号推定の方法を実行するための第１の送信機とみなすべきかを選ぶ。複数の送信機のうちの１つを第１の送信機とみなした後に、送信機選択論理回路は、複数の送信機のうちの他の送信機を（たとえば、順位付けに従って）第１の送信機に繰り返し選び、次いで、他の任意の強い送信機が第２の副搬送波セット上のイメージ信号に起因する、またはそれをもたらす場合に、信号推定法を実行するようにさらに構成される。
【００２２】
[0022]  例示的な一実装形態では、信号推定器は、イメージ信号の推定値を形成するために、第１の副搬送波上で受信される信号の共役転置を、第１の送信機でのイメージ除去の推定値（すなわち、イメージ除去係数）を表す係数
【００２３】
【数１】
2010527198.tif 000003
に乗算するように構成された乗算器を備える。他の例示的な実施形態では、イメージ推定器を備える乗算器は、イメージ信号の推定値（第１の副搬送波上で受信され、第１の送信機から受信される信号の再符号化バージョンから得られる信号の推定値）を形成するために第１の副搬送波上で受信される信号の推定値の共役転置を、イメージ除去係数
【００２４】
【数２】
2010527198.tif 000004
に乗算するように構成される。どちらの実装の変形形態においても、イメージ推定器３８は、（１）第１の副搬送波上で受信される信号を使用するのか（２）イメージ信号の推定値を形成するために第１の副搬送波上で受信される信号の推定値を使用するのかのいずれかの間で動的に選択するように構成される。
【００２５】
[0023]  例示的な一実施形態では、イメージ推定器は、以下の式を評価することによりイメージ除去係数の推定値
【００２６】
【数３】
2010527198.tif 000005
を生成するように構成される。
【００２７】
【数４】
2010527198.tif 000006
ここで、ａおよびｂは、第１の送信機から送信され、副搬送波ｉを含む副搬送波セット［ａ,ａ＋ｂ］を定義し、
【００２８】
【数５】
2010527198.tif 000007
は、（１）第１の副搬送波上で受信される信号か（２）第１の副搬送波上で受信される信号の推定値のいずれかであり、
【００２９】
【数６】
2010527198.tif 000008
は、第１の副搬送波における無線チャネルの推定値であり、Ｙ−ｉは第２の副搬送波上で受信される信号である。
【００３０】
[0024]  例示的な一実施形態では、信号推定器は、第２の副搬送波上で受信される信号からイメージ信号の推定値を差し引いて、第２の送信機に起因する第２の副搬送波上で受信される信号の一部分の推定値を得るように構成される。
【００３１】
[0025]  その態様のうち別の態様では、この技術は、複数の送信機からの無線周波数信号を受信する受信機を動作させる方法に関する。この方法は、（ａ）送信機Ｔｊが動作する周波数のミラー周波数上で発生するイメージ信号の推定値を形成すること、および（ｂ）このミラー周波数上で動作している送信機Ｔｋの受信信号からイメージ信号の推定値を差し引くこといった基本的な動作例を含む。
【００３２】
[0026]  例示的な一形態では、この方法はさらに（１）受信信号の強度の順に複数の送信機を順位付けすること、（２）受信信号強度がもっとも強い送信機を送信機Ｔｊに選び、選ばれた送信機向けの方法の基本的な動作を実行すること、次いで（３）信号強度が次に強い送信機を送信機Ｔｊに選び、選ばれた次の送信機向けの方法の基本的な動作を実行すること、および（４）他の複数の送信機のそれぞれ向けに動作（３）を実行することいった動作例を含む。
【００３３】
[0027]  送信機Ｔｊは、２つの送信機のうちの強い方であるとみなされ、送信機Ｔｋは、２つの送信機のうちの弱い方であるとみなされる。例示的な一実装形態では、この方法の基本的な動作は、送信機Ｔｊの受信信号強度が送信機Ｔｋの受信信号強度を所定の量だけ超える場合にのみ、送信機Ｔｋに対して実行される。たとえば、所定の量とは、設計パラメータに応じて約１０ｄＢとすることができる。
【００３４】
[0028]  例示的な一実装形態では、この方法の基本的な動作は、受信機が受信する各フレームユニットに対して実行される。フレームユニットは、複数の送信機のそれぞれからの受信信号を含む。
【００３５】
[0029]  例示的な一実装形態では、ミラー周波数上で発生するイメージ信号の推定値は、式
【００３６】
【数７】
2010527198.tif 000009
を評価することによって形成される。ここで
【００３７】
【数８】
2010527198.tif 000010
は、第１の副搬送波上で受信される信号の推定値の共役転置である。
【００３８】
図面の簡単な説明
[0030]  本発明の上記その他の目的、特徴および利点は、添付図面に示す好ましい実施形態の以下のより具体的な説明から明白になるであろう。添付図面においては、様々な図を通して参照文字は同じ部品を指す。各図面は必ずしも縮尺通りではなく、代わりに本発明の原理を説明することに重点が置かれている。
【図面の簡単な説明】
【００３９】
【図１】[0031]ＩＱアンバランスが存在する場合のスペクトル放出の例示的な説明を示すグラフである。
【図２】[0032]第１の送信機が生成するイメージ信号が別の（たとえば、より弱い）送信機の受信信号に影響を及ぼすときの、ＩＱアンバランスの例示的な説明を示すグラフである。
【図３】[0033]イメージ補償を有する無線受信機の例示的な一実施形態の概略図である。
【図４】[0034]高速フーリエ変換ユニットとともに示した信号推定器の例示的な一実施形態の一部分の概略図である。
【図５】[0035]高速フーリエ変換ユニットとともに示した信号推定器の別の例示的な一実施形態の一部分の概略図である。
【図６】[0036]受信機のイメージ補償の方法の基本的な態様を含む例示的な動作を示す流れ図である。
【図７】[0037]図６の方法を実施する例示的な一形態に関する、さらなる例示的な動作を示す流れ図である。
【図８】[0038]図６の方法を実施する例示的な一形態に関する、さらなる例示的な動作を示す流れ図である。
【図９】[0039]イメージ補償の方法の別の例示的な一実装形態を示す流れ図であり、特に、この方法の基本的な動作が、受信機が受信する各フレームユニットに対して実行される図である。
【図１０】[0040]イメージ補償の方法の別の例示的な実装形態、特に図９の方法の変形形態を示す流れ図である。
【図１１】[0041]イメージ補償の方法のさらに別の例示的な実装形態、特に図９の方法の別の変形形態を示す流れ図である。
【００４０】
詳細な説明
[0042]  以下の説明では、限定するためではなく説明するために、具体的なアーキテクチャ、インターフェース、技法などの具体的な詳細を説明して、本発明の十分な理解を可能にする。しかし、本発明が、これらの具体的な詳細から逸脱する他の実施形態で実施されてもよいことが、当業者には明白になるであろう。すなわち、本明細書では明瞭に説明したりまたは図示したりしないが、本発明の原理を実施し、本発明の精神およびその範囲内に含まれる様々な構成を、当業者であれば考案することができよう。場合によっては、不必要に詳細に説明することにより本発明の説明を曖昧にしないために、よく知られた装置、回路および方法の詳細な説明は省略する。本発明の原理、態様および実施形態、ならびにその具体的な例を説明する、本明細書におけるすべての記述は、その構造的な均等物および機能的な均等物の両方を含むものである。さらに、こうした均等物には、現在知られている均等物ならびに将来開発される均等物の両方、すなわち、構造はどうであれ同じ機能を実行する任意の開発要素が含まれるものである。
【００４１】
[0043]  したがって、たとえば、本明細書におけるブロック図は、技術の原理を実施する例示的な回路の概念図を表すことができることが当業者には理解されよう。同様に、任意の流れ図、状態遷移図、擬似コードなどは、実質上コンピュータ読取り可能な媒体中で表すことができ、したがって、コンピュータまたはプロセッサが明瞭に示してあろうとなかろうと、そうしたコンピュータまたはプロセッサによって実行することができる様々なプロセスを表すことが理解されよう。
【００４２】
[0044]  図３には、複数の送信機２２１〜２２ｍとの無線通信で使用するための受信機２０の例示的な一実施形態が示してある。受信機２０は、受信機のフロントエンド２６に接続されている１つまたは複数のアンテナ２４を備える。受信機フロントエンド２６は、次に信号プロセッサ３０に接続されている。１つまたは複数のアンテナ２４は、空中または無線インターフェースを介した、複数の送信機２２１〜２２ｍとの無線通信をうまく進める。複数の送信機２２１〜２２ｍから受信した信号は、受信機フロントエンド２６に加えられる。受信機フロントエンド２６は、たとえば１つまたは複数のフィルタ（たとえば、１つまたは複数の帯域通過フィルタ）および１つまたは複数の増幅器など、典型的なフロントエンド構成部品を備えることができる。受信機フロントエンド２６によって調整された後に、受信信号は信号プロセッサ３０に加えられる。
【００４３】
[0045]  図３でさらに示すように、信号プロセッサ３０は、高速フーリエ変換ユニット３２、送信機選択論理回路３４、信号推定器３６およびイメージ推定器３８を備える。高速フーリエ変換ユニット３２は、基本的には信号を時間領域から周波数領域に変換するように働く。すなわち、信号の周波数応答を決定する。
【００４４】
[0046]  続いてより詳細に説明するように、送信機選択論理回路３４は、現在の信号処理目的のために、複数の送信機２２１〜２２ｍのうちのいずれを、第１の副搬送波上で受信機３０に送信するための第１の送信機とみなすのかを選択する。続いて述べる例示的な説明では、これまでのところ第１の送信機または「より強い」送信機として働いている、複数の送信機２２１〜２２ｍのうちの１つが、送信機Ｔｊとも表される。
【００４５】
[0047]  第１の送信機に対して受信機２０で受信された信号のグラフは、たとえば−９ＭＨｚ〜−５．４ＭＨｚの周波数を占有する放出スペクトルを有する、図２での送信機ＵＥ１のグラフと同様になることがある。第１の副搬送波セットのミラー周波数は、やはり副搬送波として利用される場合には、第２の副搬送波セットとみなされる。図２の例では、５．４ＭＨｚ〜９ＭＨｚの周波数は、第１の送信機が放出する周波数のミラー周波数である。（本明細書では、副搬送波「セット」は、１つまたは複数の副搬送波を含み、「副搬送波」は、１つの副搬送波セットを含み、「周波数」および「ミラー周波数」は、周波数のスペクトルを含み、［１つの個別の周波数値に限定されない］）。したがって、図２の例示的な説明との関連で、第２の副搬送波セット内（たとえば、５．４ＭＨｚ〜９ＭＨｚのスペクトル上）の任意の搬送波上で受信機２０に送信する、複数の送信機２２１〜２２ｍのうちの任意の１つは、第２の、すなわち「弱い方の」送信機とみなすことができる。送信機選択論理回路３４はさらに、現在の信号処理目的のために、（第２の副搬送波セット上で送信する場合）複数の送信機２２１〜２２ｍの可能性のある送信機のうちの１つまたは複数の送信機を、第２の送信機すなわち弱い方の送信機として選択されるように選ぶ。続いて使用される表記では、信号推定器３６の処理の現段階において第２の送信機として働く送信機は送信機Ｔｋと表され、図２のＵＥ２で示される受信機など受信機２０で受信される信号を有してもよい。
【００４６】
[0048]  図３に示す実装形態では、イメージ推定器３８は、信号推定器３６内に含まれるか、またはそれを含む。イメージ推定器３８は、第２の副搬送波セット上で発生し、第１の送信機の送信に起因するイメージ信号の推定値を形成する。個々のＵＥそれぞれに対するイメージのサイズは知られていないので、それを推定しなければならない。信号推定器３６は、イメージ信号および第２の副搬送波上で受信される信号の推定値を使用して、とりわけ第２の送信機に起因する第２の副搬送波上で受信される信号の一部分の推定値を得る。したがって、受信機３０は、その特定の第２の副搬送波において発生する第１の送信機からのイメージ信号を補償するように、第２の送信機に起因する第２の副搬送波セット内の１つの副搬送波上で受信される信号の一部分を決定することができる。
【００４７】
[0049]  例示的な一実施形態では、送信機選択論理回路３４は、受信信号の強度の順に複数の送信機を順位付けするように構成される。このために、図３では、送信機選択論理回路３４は、順位付けリスト４０を含むものとして示してある。さらに、送信機選択論理回路３４によって決定され順位付けリスト４０内に記憶されている順位付けに従って、送信機選択論理回路３４は、複数の送信機のうちのいずれを、たとえばイメージ信号を補償する信号推定の方法を実行するための第１の送信機または強い方の送信機Ｔｊとみなすべきかを選ぶ。複数の送信機のうちの１つを第１の送信機Ｔｊとみなした後に、送信機選択論理回路３４はさらに、第１の送信機になるべき複数の送信機２２１〜２２ｍのうちの他の送信機を（順位付けに従って）繰り返し選び、次いで、他の任意の強い送信機が第２の副搬送波上のイメージ信号に起因するまたはそれをもたらす場合に、信号推定法を実行する。
【００４８】
[0050]  セル内にとどまる各送信機、たとえば各ＵＥは、少なくとも１つの識別番号により、またはそれを用いて、システム（たとえば、無線アクセスネットワーク）に知られている。この番号はセル毎に固有であり、また世界的に固有でもよい。したがって、順位付けリスト４０は、送信機の識別番号を受信信号強度と結びつけることができる。
【００４９】
[0051]  たとえば３Ｇ  ＬＴＥの実装形態などの例示的な一実装形態では、受信機２０は、たとえばＲＢＳまたは「ＮｏｄｅＢ」もしくは「ＢＮｏｄｅ」とも呼ばれる基地局ノードとすることができる。こうした実装形態では、複数の送信機２２１〜２２ｍは、しばしばユーザ装置ユニット（UE）と呼ばれる移動タイプの無線送信機などの無線送信機とすることができる。以下の多くの場合で、名称「ＵＥ」は、便宜上無線送信機を指すために使用される。
【００５０】
[0052]  図４は、高速フーリエ変換ユニット３２とともに示した信号推定器３６（４）の第１の例示的な実施形態の一部分を示す。高速フーリエ変換ユニット３２は、信号の周波数領域での表現を生成し、ＹｉおよびＹ−ｉは、それぞれ副搬送波ｉおよび−ｉにおける信号の周波数領域での表現である。信号推定器３６（４）は、デコーダ４２とチャネル推定器４４の両方を備え、これらは、高速フーリエ変換ユニット３２からの第１の副搬送波における信号Ｙｉを受信する。第１の送信機に割り当てられたすべての副搬送波上の受信信号は、デコーダ４２によって復号化され、続いて再符号化装置４６に加えられる。再符号化装置４６は、副搬送波ｉ上で送信されたシンボル
【００５１】
【数９】
2010527198.tif 000011
を含む、第１の送信機からの送信シンボルの推定値を生成する。チャネル推定器４４は、第１の副搬送波用の無線チャネルの推定値
【００５２】
【数１０】
2010527198.tif 000012
を生成する。
【００５３】
[0053]  送信シンボルの推定値
【００５４】
【数１１】
2010527198.tif 000013
と第１の副搬送波用の無線チャネルの推定値
【００５５】
【数１２】
2010527198.tif 000014
の両方が、入力としてイメージ推定器３８と乗算器４８に加えられる。乗算器４８は、送信シンボルの推定値
【００５６】
【数１３】
2010527198.tif 000015
と第１の副搬送波用の無線チャネルの推定値
【００５７】
【数１４】
2010527198.tif 000016
とを乗算して、第１の副搬送波の信号の推定値
【００５８】
【数１５】
2010527198.tif 000017
を生成する。続いて説明するように、イメージ推定器３８は、送信シンボルの推定値
【００５９】
【数１６】
2010527198.tif 000018
と第１の副搬送波用の無線チャネルの推定値
【００６０】
【数１７】
2010527198.tif 000019
の両方を使用して、イメージ除去係数
【００６１】
【数１８】
2010527198.tif 000020
の推定値を生成する。
【００６２】
[0054]  乗算器４８によって得られる第１の副搬送波の信号の推定値
【００６３】
【数１９】
2010527198.tif 000021
は、信号推定器３６（４）の共役転置器５０に加えられ、この共役転置器は、第１の副搬送波の信号の共役転置
【００６４】
【数２０】
2010527198.tif 000022
を生成する。第１の副搬送波の信号の共役転置
【００６５】
【数２１】
2010527198.tif 000023
およびイメージ除去係数の推定値
【００６６】
【数２２】
2010527198.tif 000024
は、乗算器５２のそれぞれの入力に加えられる。乗算器５２の積は、ミラー成分の推定値、たとえばイメージの推定値である。イメージの推定値が、減算器５４の第１の入力に加えられ、高速フーリエ変換ユニット３２から得られる第２の副搬送波用の信号Ｙ−ｉが減算器５４の第２の入力に加えられる。したがって、減算器５４は、第２の副搬送波における信号Ｙ−ｉからイメージの推定値を減算して、第２の副搬送波における信号の推定値
【００６７】
【数２３】
2010527198.tif 000025
を得る。図４には示していないが、第２の副搬送波における信号の推定値
【００６８】
【数２４】
2010527198.tif 000026
を、第２の送信機に割り当てられたすべての副搬送波における信号の推定値とともに使用して、第２の送信機から送られるシンボルを復号化することができる。
【００６９】
[0055]  図４に示す第１の例示的な実装形態では、イメージ推定器３８は、乗算器５２などの乗算器を含み、またはそれと連携して、イメージ除去係数の推定値
【００７０】
【数２５】
2010527198.tif 000027
を、第１の副搬送波上で受信される信号の共役転置
【００７１】
【数２６】
2010527198.tif 000028
で乗算して、イメージ信号の推定値を形成する。第１の副搬送波の信号の推定値
【００７２】
【数２８】
2010527198.tif 000029
を使用することにより、共役転置器５０によって共役転置
【００７３】
【数２７】
2010527198.tif 000030
が得られる。図４に示す第１の例示的な実装形態では、第１の副搬送波の信号の推定値
【００７４】
【数２９】
2010527198.tif 000031
は、第１の副搬送波上で受信される信号の再符号化バージョンから得られる。
【００７５】
[0056]  図５は、やはり高速フーリエ変換ユニット３２とともに示した信号推定器３６（５）の第２の例示的な実施形態の各部分を示す。第１の例示的な実施形態と同様に、高速フーリエ変換ユニット３２は、第１の副搬送波における信号Ｙｉと第２の副搬送波における信号Ｙ−ｉの両方を生成する。信号推定器３６（５）は、チャネル推定器４４を備え、これは、高速フーリエ変換ユニット３２からの第１の副搬送波における信号Ｙｉを受信する。チャネル推定器４４は、第１の副搬送波用の無線チャネルの推定値
【００７６】
【数３０】
2010527198.tif 000032
を生成する。図５の例示的な実施形態では、第１の副搬送波における無線チャネルと第１の副搬送波における信号Ｙｉの両方の推定値
【００７７】
【数３１】
2010527198.tif 000033
が、イメージ推定器３８に加えられる。第１の副搬送波における信号Ｙｉは、共役転置器５０に加えられ、この共役転置器は、第１の副搬送波上で受信される信号の共役転置
【００７８】
【数３２】
2010527198.tif 000034
を生成する。イメージ推定器３８は、イメージ除去係数の推定値
【００７９】
【数３３】
2010527198.tif 000035
を生成する。乗算器５２は、イメージ除去係数の推定値
【００８０】
【数３４】
2010527198.tif 000036
に、第１の副搬送波上で受信される信号の共役転置
【００８１】
【数３５】
2010527198.tif 000037
を乗算して、イメージ信号の推定値を形成する。減算器５４は、第２の副搬送波における信号Ｙ−ｉから減算器５４によって差し引かれたイメージの推定値を減算して、第２の送信機から受信される第２の副搬送波上の信号の推定値
【００８２】
【数３６】
2010527198.tif 000038
を得る。やはり、図５には示していないが、送信機Ｔｋからの第２の副搬送波上の信号の推定値
【００８３】
【数３７】
2010527198.tif 000039
を、送信機Ｔｋに割り当てられたすべての副搬送波における信号の推定値とともに使用して、送信機Ｔｋから送られるシンボルを復号化することができる。
【００８４】
[0057]  例示的な一実施形態では、イメージ推定器３８は、式１を評価することによりイメージ除去係数の推定値
【００８５】
【数３８】
2010527198.tif 000040
を生成するように構成される。式１では、ａおよびｂは、副搬送波セット［ａ，ａ＋ｂ］を定義し、
【００８６】
【数３９】
2010527198.tif 000041
は、第１の副搬送波上で受信される信号の推定値であり、
【００８７】
【数４０】
2010527198.tif 000042
は、第１の副搬送波における無線チャネルの推定値であり、Ｙ−ｉは、送信機Ｔｋに割り当てられた第２の副搬送波上で受信される信号である。
【００８８】
【数４１】
2010527198.tif 000043
【００８９】
[0058]  信号プロセッサ３０、すなわち信号プロセッサ３６、送信機選択論理回路３４、およびイメージ推定器３８のうちの任意の１つまたは複数の動作および機能は、１つまたは複数の「プロセッサ」または「制御装置」によって実行できることが理解されよう。したがって、これらの動作または機能は、適切なソフトウェアと共同してソフトウェアを実行することができるハードウェアを使用して実現してもよい。さらに、用語「プロセッサ」または「制御装置」を明示的に使用することは、もっぱらソフトウェアを実行することができるハードウェアを指すものと解釈すべきではなく、それだけには限らないが、デジタル信号プロセッサ（DSP）ハードウェア、ソフトウェアを記憶するための読取り専用メモリ（ROM）、ランダムアクセスメモリ（RAM）、および不揮発性記憶装置を含んでもよい。各機能は、プロセッサによって実現されるとき、単一の専用プロセッサ、単一の共用プロセッサ、または、ものによっては共用されても分配されてもよい複数の個々のプロセッサによって実現されてもよい。
【００９０】
[0059]  図６には、受信機２０の動作と関連して生じる、例示的で、代表的で、基本的な、ステップ、動作、アクション、またはイベントが示してある。その基本的な態様では、この方法は、送信機Ｔｊが動作する（動作６−１）周波数のミラー周波数上で発生するイメージ信号の推定値を形成するという、例示的な動作を含む。この方法はさらに動作６−２を含み、この動作は、ミラー周波数上で動作する送信機Ｔｋの受信信号からイメージ信号の推定値を差し引くことを含む。
【００９１】
[0060]  図７には、図６の方法を実施する例示的な一形態に関する、さらなる動作が示してある。動作７−１は、受信信号強度の順に複数の送信機２２１〜２２ｍを順位付けすることを含む。動作７−２は、受信信号強度がもっとも強い送信機を送信機Ｔｊに選ぶことと、選ばれた送信機向けの図６の方法の基本的な動作を実行することを含む。動作７−３は、強度が次に強い送信機を送信機Ｔｊに選ぶことと、選ばれた次の送信機向けの図６の方法の基本的な動作を実行することを含む。動作７−４は、他の複数の送信機のそれぞれに対して、動作７−３を実行することを含む。
【００９２】
[0061]  別の観点および／または形態から説明すると、受信機２０は、図８の動作を含む方法を実行することができる。動作８−１では、送信機選択論理回路３４は、複数の送信機２２１〜２２ｍのリストを作成し、これは受信信号強度に対して並べ替えられる。動作８−２では、リスト（たとえば、順位付けリスト４０）内の各ＵＥ（UEjで表される）に対して、そのイメージは、送信機の帯域幅（必ずしもLTE内のシステム帯域幅と同じでなくてもよい）の中心でミラーリングされた周波数に位置していると仮定される。ＵＥｊの想定されるイメージによって占有された周波数に割り当てられた送信機Ｔｋが存在する場合（また好ましくは、送信機Tkの信号がUEjの信号よりもはるかに弱い電力で受信される場合）、動作８−３は、ＵＥｊのイメージのサイズを推定することを含む。動作８−４は、復調の前に第２の送信機Ｔｋの受信信号からＵＥｊの識別されたイメージを差し引くことを含む。動作８−５は、送信機Ｔｊの想定されたイメージによって占有された周波数で動作する複数の送信機２２１〜２２ｍのうちの残りの送信機すべてに対して、動作８−２〜動作８−４を繰り返すことを含む。
【００９３】
[0062]  様々な方式のいずれかで、受信機２０は、特定の送信機の帯域幅を知ることができる。たとえば、帯域幅は受信機に通知することができる。３ＧＰＰ  ＬＴＥなどシステムによっては、必ずしも必要ではないが、送信機の送信帯域幅をシステム帯域幅と同じになるように規定してもよい。
【００９４】
[0063]  図９には、イメージ補償の方法の別の例示的な実装形態が示してある。図９の実装形態では、この方法の基本的な動作は、受信機が受信する各フレームユニットに対して実行される。本明細書では、「フレームユニット」は、複数の送信機のそれぞれからの受信信号を含む。
【００９５】
[0064]  図９の動作９−１は、図９の各動作が各フレームユニットに対して実行されることを反映している。フレームユニットは、３Ｇ  ＬＴＥとの関連で、たとえば「サブフレーム」とすることができる。３Ｇ  ＬＴＥでは、サブフレームは時間単位が１ミリ秒であり、より短い１４の時間単位（たとえばシンボル）に分割される。たとえば、動作９−１は、完全なフレームユニットの受取りおよび取扱い、たとえば、１つのサブフレームの受取りおよびダウンコンバージョン、ならびにサブフレームの情報のバッファへの記憶を表すことができる。
【００９６】
[0065]  動作９−２は、送信機選択論理回路３４が複数の送信機２２１〜２２ｍを信号強度の順に並べ替え、もっとも強い送信機（たとえばUE）がＵＥｊとラベル付けされるという事実を示す。送信機２２１〜２２ｍのリストを信号強度順に並べ替え、維持することは、送信機選択論理回路３４によって管理される順位付けリスト４０に反映される。動作９−２の一環として、送信機選択論理回路３４は、送信機２２のうちの１つを送信機Ｔｊ、たとえばそのイメージが補償のために検査されることになる信号を有する「より強い」送信機に選択する。以下で分かるように、送信機選択論理回路３４は潜在的に、ｍ個の送信機２２のそれぞれを、より強い送信機と順次みなすことができるようにする。すなわち、複数の送信機２２が順位付けリスト上にリストされるように、ｊは潜在的に１からｍまでの範囲にある。
【００９７】
[0066]  動作９−３では、受信機２０の送信機選択論理回路３４は、送信機ＴｊたとえばＵＥｊのミラー周波数（たとえば、イメージ周波数）を決定する。特定のフレームに対して図９の各動作を実行する最初には、図９の各動作の第１の実行は、順位付けリスト４０上のもっとも強い送信機２２に対するものになる。動作９−２の後続の実行は、他の送信機に対するものになり、たとえば、他の送信機は、「より強い」送信機Ｔｊとみなしてもよく、みなす順序は順位付けリスト４０に反映された信号強度順位に従う。
【００９８】
[0067]  動作９−４では、送信機選択論理回路３４は、より強い送信機ＴｊたとえばＵＥｊのミラー周波数に対応する副搬送波周波数において受信される任意の信号が存在するかどうか検査する。ＵＥｊのミラー周波数に対応する副搬送波周波数において受信される任意の信号は、送信機Ｔｋの候補とみなすことができる。ＵＥｊのミラー周波数に対応する副搬送波周波数は、本明細書においては周波数−ｉと表され、ＵＥｊのミラー周波数において動作する任意の送信機は、ＵＥ−１と呼ばれている。したがって、ｊの値は１〜ｍの範囲をとることができるが、ｊの各値に対しては、送信機２２ｋが第２の副搬送波周波数内で動作する限り、「ｋ」の値は潜在的に、ｊ＋１〜ｍの範囲をとることができることが理解されよう。
【００９９】
[0068]  ＵＥｊのミラー周波数に対応する副搬送波周波数において受信される信号が存在しない場合、たとえば、送信機Ｔｋに適した送信機がない場合には、送信機選択論理回路３４は、信号強度順で次の送信機、たとえばＴｊになるべき次に「より強い」送信機がないか順位付けリスト４０を検査する。したがって、動作９−６は、Ｔｊになるべき次に「より強い」送信機を選択する送信機選択論理回路３４を示す。順位付けリストのこうした検査は、ｊの増分（たとえば、j = j+1）に等しいことがある。しかし、さらにより強い送信機Ｔｊのこうした選択は、動作９−５が条件となっている。動作９−５は、送信機選択論理回路３４が、まず、考慮すべきさらなる送信機Ｔｊが実際に存在するかを検査することを含む。たとえばｊ＝ｍ、および／または、サブフレーム全体をすでに扱っている場合、動作９−５は、新規フレームユニットの処理、たとえば、新規フレームユニット（たとえば、サブフレーム）を扱うために動作９−１に戻ることを促す。
【０１００】
[0069]  ＵＥｊのミラー周波数に対応する副搬送波周波数において受信される信号が存在すると、動作９−４で判定される場合、動作９−７および動作９−８が実行される。動作９−７は、送信機選択論理回路３４が、第１の「より弱い」送信機（UEjのミラー周波数に対応する副搬送波周波数において動作する）を、第２のまたはより弱い送信機Ｔｋであると決定することを含む。動作９−８は、イメージ推定器３８が、送信機Ｔｋのイメージ成分の推定値を決定することを含む。送信機Ｔｋのイメージ成分の推定値を決定することは、たとえば図６の動作６−１に対応する。動作９−９は、第２の副搬送波周波数上の受信信号からイメージ推定値を差し引くことを含む。
【０１０１】
[0070]  動作９−１０は、ＵＥｊのミラー周波数に対応する副搬送波周波数において動作する、信号順位付けリスト４０上のすべての「より弱い」送信機が、イメージ補償を受けたかどうかを検査することを含む。イメージ補償を受けている場合には、プロセスは、たとえば動作９−５を継続することができる。受けていない場合には、動作９−１１で、送信機選択論理回路３４は、動作９−８および動作９−９をさらに繰り返すために、別の送信機（UEjのミラー周波数に対応する副搬送波周波数において動作する）をより弱い送信機Ｔｋに選択する。
【０１０２】
[0071]  次に述べるのは、ＩＱアンバランスによるイメージ成分を推定するための技法および方法の説明である。すなわち、イメージ推定器３８は、以下を反映または実施するように、ロジックで構成することができる。
【０１０３】
[0072]  副搬送波の番号付けは、−ｎ、−ｎ＋１、．．．．、０、１、．．．．、ｎ−１、ｎ、すなわち、（ベースバンド信号に対して）負の周波数上の副搬送波は負のインデックスを有し、正の周波数は正のインデックスを有すると仮定する。その場合には、ｉ番目の副搬送波Ｙｉにおける受信信号は、式２に示すように記述することができる。
【０１０４】
【数４２】
2010527198.tif 000044
式２では、ｈｉは、ＵＥにおける送信機利得を含む無線チャネルであり、ｓｉは（ユニット平均電力を有するように正規化された）送信シンボルであり、ｅｉは雑音である。さらに、
【０１０５】
【数４３】
2010527198.tif 000045
は、副搬送波−ｉにおけるＵＥ送信からの受信信号の複素共役、すなわち、ＩＱアンバランスによるミラー成分である。ＩＱ抑圧係数はａ−ｉであり、受信機については知られていないが、通常はほぼ−２０ｄＢ以下である。
【０１０６】
[0073]  次いで、受信機２０は、もっとも強いＵＥの復号化を開始する。差し当たり、もっとも強いＵＥは副搬送波ｉ∈［ａ，ａ＋ｂ］上で送信していると仮定する（a,b > 0）。したがって、｜ｈｉ｜＞｜ｈ−ｉ｜である。次いで、ａ−ｉ＜＜１なので、式２における最後の項は無視することができ、したがって、チャネルｈｉは、本発明では限定しない従来技術の技法に従って推定することができる。次いで、ｓｉも検出することができる。したがって、受信機は、式３に反映される推定値を得る。
【０１０７】
【数４４】
2010527198.tif 000046
【０１０８】
[0074]  その後、受信機は、順次より弱いＵＥからの信号を復号化しようとし、最後には、副搬送波−ｉすなわちｉ∈［ａ，ａ＋ｂ］に対するミラー副搬送波上で送信する１つまたは複数のＵＥからの信号を復号化しようとする。これらの搬送波についての各式は、式４に従って記述することができる。
【０１０９】
【数４５】
2010527198.tif 000047
【０１１０】
[0075]  送信電力と経路損失における差により｜ｈｉ｜＞＞｜ｈ−ｉ｜とすることができるので、式４における最後の項は無視することができない。通常ａｉは−２０ｄＢ以下の範囲にあるので、受信電力における差が増大するにつれて、より強いＵＥからのイメージは、ますます著しくなり始める。
【０１１１】
[0076]  はるかに弱いＵＥからの信号を復調するときに、強いＵＥのイメージを補償するために、ａｉの推定値が形成される。受信信号Ｙ−ｉに
【０１１２】
【数４６】
2010527198.tif 000048
を乗算し、期待値をとることにより、式５が得られる。
【０１１３】
【数４７】
2010527198.tif 000049
式５では、送信シンボルは正規化されてユニット電力になる。合理的な仮定として、ａｉは周波数にわたってかなり一定である。したがって、次にａｉの推定値は、式６で示すように、副搬送波セット［ａ，ａ＋ｂ］にわたって平均化することによって形成することができる。
【０１１４】
【数４８】
2010527198.tif 000050
式６で、εｉは推定誤差である。ａｉは時間経過に対してかなり一定であると仮定できるので、やはりいくつかのシンボルにわたって平均化することにより、推定誤差の変動をさらに低減させることができる。
【０１１５】
[0077]  次に、ミラー成分の推定値が存在し、このミラー成分の推定値を副搬送波セット−ｉから差し引いて、式７を得ることができる。
【０１１６】
【数４９】
2010527198.tif 000051
さらに、従来技術の技法を使用して、チャネルを推定することができ、また副搬送波−ｉでのシンボルを検出することができる。
【０１１７】
[0078]  上記では、ＵＥ送信機の帯域幅はシステムの帯域幅に等しい、すなわちＩＱアンバランスによる干渉は、帯域の中心周波数でミラーリングされると仮定されてきた。しかし、たとえば３Ｇ  ＬＴＥシステムにおける初期の提案では、ＵＥ送信機の帯域幅は、システムの帯域幅よりも狭くてもよい可能性がある。より具体的には、１０ＭＨｚのＵＥは、２０ＭＨｚシステム内で動作することができる。このことは、Ｎｃ個の副搬送波を有する２０ＭＨｚシステムでは、周波数−ｉでの１つの（弱い）ＵＥからの信号の受信は、周波数ｉでの２０ＭＨｚのＵＥと周波数ｉ−Ｎｃ／２での１０ＭＨｚのＵＥの両方からの干渉に遭遇することがあることを意味している。周波数ｉ−Ｎｃ／２からのイメージ成分の推定および除去は、式５〜７に類似している。このようなシステムでは、受信機は、すべてのＵＥについての帯域幅を承知している必要があり、したがって、もっとも可能性の高いイメージ位置が配置される場所を知る。
【０１１８】
[0079]  図１０には、イメージ補償の方法の別の例示的な実装形態が示してある。図９の各動作に似ているまたは類似している図１０の各動作は、同じ動作番号を有する。図１０の例示的な実装形態は、主に、動作１０−１が含まれることだけ図９の実装形態とは異なる。動作１０−１は、送信機Ｔｊの受信信号強度が、送信機Ｔｋの受信信号強度を所定の量だけ超えるかどうかを判定することを含む。たとえば、所定の量とは、設計パラメータに応じて約１０ｄＢとすることができる。動作１０−１の判定が否定的である場合、すなわち送信機Ｔｊの受信信号強度が送信機Ｔｋの受信信号強度を所定の量だけ超えない場合、動作９−８および動作９−９は実行されない。
【０１１９】
[0080]  図９および図１０について前述した実装形態などの実装形態に関しては、送信機をフレームユニット毎に処理することは必須ではなく、時間またはフレームユニットに関係なく、実装形態のその他の動作を利用することができることを理解されたい。
【０１２０】
[0081]  図１１には、イメージ補償の方法のさらに別の例示的な実装形態が示してある。図９の各動作に似ているまたは類似している図１１の各動作は、同じ動作番号を有する。図１１の例示的な実装形態は、主に、動作１１−１が含まれることだけ図９の実装形態とは異なる。動作１１−１は、推定されたイメージ除去係数
【０１２１】
【数５０】
2010527198.tif 000052
が小さいかどうか判定することを含む。動作１１−１での検査で、推定されたイメージ除去係数
【０１２２】
【数５１】
2010527198.tif 000053
が確かに小さいと判定された場合、動作９−９の減算は実行されない。図１１の例示的な実装形態は、ある状況では有利になることもある。たとえば、前述の説明は、様々な点で、送信機の帯域幅の中心において固定した局部発振器が使用されてきたことを仮定している。そうでない場合、たとえば、局部発振器が常に変化して所望の送信スペクトルの中心に出現するときには、想定されるイメージ周波数で送信される信号はないことになる。推定されたａｉはこの場合小さくなるので、本明細書に記載の技術の実装形態は、こうした場合には有害にはならない。したがって、動作１１−１で、図１１の実施形態は、推定されたａｉが十分に小さく、その結果、式７の訂正を実行してはならないかどうかを判定するための検査を実施する。例示的な実装形態では、推定されたａｉが十分に小さいかどうかにかかわらす、動作９−９の減算を回避することは、閾値ε１およびε２を確立することを含み、その結果、｜ａｉ｜＜ε１または
【０１２３】
【数５２】
2010527198.tif 000054
の場合には、式７での訂正は実行されない。
【０１２４】
[0082]  式５〜式７における
【０１２５】
【数５３】
2010527198.tif 000055
を使用すること、および図４の実施形態は
【０１２６】
【数５４】
2010527198.tif 000056
を必要とし、これは、搬送波ｉ上で送られる信号を含む受信メッセージを再符号化することによって形成される。したがって、このメッセージが正しく復号化されない場合、誤りが伝搬する危険がある。この再符号化に関しては、ある種の複雑さもある。代替案は、図５の例示的な実施形態で示すように、代わりに受信信号Ｙｉを直接使用することである。これにより、複雑さが低減し、誤りは伝搬しにくくなるが、推定の変動は大きくなる。所与のどんな実施形態においても、いずれが好ましい解決策であるのかは、たとえば、誤りが伝搬する危険性に依存し、さらには、たとえば使用される符号レートに依存する。通常、このことは受信機に知られており、したがって受信機は、最良の方法を動的に決定してもよい。１つの実行可能な方法は、強いＵＥからの信号を復号化しようとすることであり、巡回冗長検査（CRC）が検査する場合には、式５〜式７での公式化を使用することである。そうでない場合は、式５〜式７での計算において、
【０１２７】
【数５５】
2010527198.tif 000057
をＹｉで置き換える。
【０１２８】
[0083]  前述の連続した干渉をキャンセルする手法の代替案は、すべてのＵＥからの信号を結合して復調することである。これの１つの利点は、複雑さがより増すこと（また場合によっては推定誤りが大きくなること）を犠牲にして、信号強度に関するＵＥの順位付けが必要でないことである。
【０１２９】
[0084]  したがって、前述の通り、その態様のうちの少なくともいくつかにおいて、この技術は、受信機装置およびそれを動作させる方法を含む。無線受信機は、ＦＤＭＡシステムで動作しているいくつかの無線送信機ユニットからの信号を同時に受信することができる。さらに、受信機は、以下の例示的な動作を実行することができ、または実行するように構成される。
【０１３０】
[0085]  ・各送信機ユニットからの受信信号強度に対して、送信機ユニットの並べ替えまたは順位付けを行うこと。
【０１３１】
[0086]  ・各送信機ユニットからの信号を、もっとも強いものから開始して、もっとも弱いもので終了するよう、順に復調すること。
【０１３２】
[0087]  ・各送信機ユニットの想定されるミラー周波数上で送信される、イメージ信号の振幅および位相を推定すること。
【０１３３】
[0088]  ・著しく弱い送信機ユニットからの信号を復調しているときに、著しく強い送信機ユニットの推定されたイメージ信号を差し引くこと。
【０１３４】
[0089]  想定されたイメージ周波数で受信される信号と、強い送信機ユニットから受信される信号との相関をとることにより、高い電力で受信される送信機ユニットのイメージ信号の振幅および位相の推定値を形成することができる。
【０１３５】
[0090]  あるいは、想定されたイメージ周波数で受信される信号と、強い送信機ユニットからの送信メッセージを再符号化することによって構成される信号との相関をとることにより、高い電力で受信される送信機ユニットのイメージ信号の振幅および位相の推定値を形成することができる。
【０１３６】
[0091]  受信機は、例示的な実装形態によっては、ＯＦＤＭＡシステムなどのＦＤＭＡシステムで動作する。さらに、例示的な実装形態によっては、受信機は、（非限定的な例として）３Ｇ  ＬＴＥシステムでのアップリンクなど、ＳＣ−ＦＤＭＡシステムで動作することができる。
【０１３７】
[0092]  上記の説明は多くの特殊性を含むが、これらは、本発明を限定するものと解釈すべきではなく、単に、現在好ましい実施形態のいくつかを例示するものと解釈すべきである。したがって、本発明の範囲が、当業者には自明になることがある他の実施形態を完全に含むこと、および本発明の範囲が、それに応じて限定されることが理解されよう。単数の要素への言及は、明示的にそう述べるのでなければ「１つおよび唯一」を意味するものではなく、むしろ「１つまたは複数」を意味するものである。当業者に知られている上記好ましい実施形態の各要素に対する、すべての構造的、化学的、および機能的な均等物は、明示的に参考として本明細書に援用され、本明細書によって包含されるものである。さらに、装置または方法は、本明細書に包含されるべきものであるので、本発明によって解決しようとする、それぞれの問題およびあらゆる問題に取り組む必要はない。
【図３】
2010527198.tif 000076
【図４】
2010527198.tif 000077
【図５】
2010527198.tif 000078
【図６】
2010527198.tif 000079
【図７】
2010527198.tif 000080
【図８】
2010527198.tif 000081
【図９】
2010527198.tif 000082
【図１０】
2010527198.tif 000083
【図１１】
2010527198.tif 000084
【図１】
2010527198.tif 000085
【図２】
2010527198.tif 000086
【手続補正書】
【提出日】平成21年7月17日(2009.7.17)
【手続補正１】
【補正対象書類名】明細書
【補正対象項目名】０１０８
【補正方法】変更
【補正の内容】
【０１０８】
[00074]  その後、受信機は、順次より弱いＵＥからの信号を復号化しようとし、最後には、副搬送波−ｉすなわちｉ∈［ａ，ａ＋ｂ］に対するミラー副搬送波上で送信する１つまたは複数のＵＥからの信号を復号化しようとする。これらの搬送波についての各式は、式４に従って記述することができる。
【手続補正２】
【補正対象書類名】明細書
【補正対象項目名】０１０９
【補正方法】変更
【補正の内容】
【０１０９】
【数１】
2010527198.tif 000087
【手続補正３】
【補正対象書類名】明細書
【補正対象項目名】０１１０
【補正方法】変更
【補正の内容】
【０１１０】
[00075]  送信電力と経路損失における差により｜ｈｉ｜＞＞｜ｈ−ｉ｜とすることができるので、式４における最後の項は無視することができない。通常ａｉは−２０ｄＢ以下の範囲にあるので、受信電力における差が増大するにつれて、より強いＵＥからのイメージは、ますます著しくなり始める。
【手続補正４】
【補正対象書類名】明細書
【補正対象項目名】０１１１
【補正方法】変更
【補正の内容】
【０１１１】
[00076]  はるかに弱いＵＥからの信号を復調するときに、強いＵＥのイメージを補償するために、ａｉの推定値が形成される。受信信号Ｙ−ｉに
【手続補正５】
【補正対象書類名】明細書
【補正対象項目名】０１１２
【補正方法】変更
【補正の内容】
【０１１２】
【数２】
2010527198.tif 000088
を乗算し、期待値をとることにより、式５が得られる。
【手続補正６】
【補正対象書類名】明細書
【補正対象項目名】０１１３
【補正方法】変更
【補正の内容】
【０１１３】
【数３】
2010527198.tif 000089
式５では、送信シンボルは正規化されてユニット電力になる。合理的な仮定として、ａｉは周波数にわたってかなり一定である。したがって、次にａｉの推定値は、式６で示すように、副搬送波セット［ａ，ａ＋ｂ］にわたって平均化することによって形成することができる。
【手続補正７】
【補正対象書類名】明細書
【補正対象項目名】０１１４
【補正方法】変更
【補正の内容】
【０１１４】
【数４】
2010527198.tif 000090
式６で、εｉは推定誤差である。ａｉは時間経過に対してかなり一定であると仮定できるので、やはりいくつかのシンボルにわたって平均化することにより、推定誤差の変動をさらに低減させることができる。
【手続補正８】
【補正対象書類名】明細書
【補正対象項目名】０１１５
【補正方法】変更
【補正の内容】
【０１１５】
[00077]  次に、ミラー成分の推定値が存在し、このミラー成分の推定値を副搬送波セット−ｉから差し引いて、式７を得ることができる。
【手続補正９】
【補正対象書類名】明細書
【補正対象項目名】０１１６
【補正方法】変更
【補正の内容】
【０１１６】
【数５】
2010527198.tif 000091
さらに、従来技術の技法を使用して、チャネルを推定することができ、また副搬送波−ｉでのシンボルを検出することができる。
【国際調査報告】
2010527198.tif 000092
2010527198.tif 000093
2010527198.tif 000094
2010527198.tif 000095